(57)【要約】【課題】ＷＷＷサイトの具体的な更新箇所を確認するために、そのＷＷＷサイトを訪問する必要をなくす。【解決手段】監視対象の情報群が監視対象情報ＤＢ１９に変数で管理されている。監視対象操作部１６は３Ｄ空間に情報を掲示する時には、監視対象情報ＤＢ１９に、その情報を登録し、３Ｄ空間から情報を削除する時には、監視対象情報ＤＢ１８から、その情報を削除する。また、３Ｄ空間を定期的に更新する時には、空間生成部１５は監視対象情報ＤＢ１９に含まれる情報について、その情報が更新されているかどうかを更新時刻ＤＢ１８から調べ、更新されていた場合、更新時刻、もしくは更新時刻から計算される数値を座標に変換する。ユーザ端末３の３Ｄブラウザ部３２はその情報を、その座標に配置する。【選択図】    図１
2004295553.tif 000002
【特許請求の範囲】
【請求項１】
３Ｄブラウザを用いた情報掲示方法であって、
監視対象の情報群を監視対象情報ＤＢにて変数で管理し、３Ｄ空間に情報を掲示する時には、前記監視対象情報ＤＢに、その情報を登録し、３Ｄ空間から情報を削除する時には、前記監視対象情報ＤＢから、その情報を削除し、３Ｄ空間を定期的に更新する時には、前記監視対象情報ＤＢに含まれる情報について、その情報が更新されているかどうかを、各情報の更新時刻が格納されている更新時刻ＤＢを用いて調べ、更新されていた場合、更新時刻、もしくは更新時刻から計算される数値を座標に変換し、該座標を該情報の配置位置とする情報掲示方法。
【請求項２】
掲示順序に対応する座標を空間テンプレートＤＢに変数で管理し、前記監視対象情報ＤＢに含まれる情報を更新時刻、もしくは更新時刻から計算される数値でソートし、その情報群に含まれる各情報について、当該情報の順序に対応する座標を前記空間テンプレートＤＢから検索し、該座標を当該情報の３Ｄ空間上の配置位置とする、請求項１の情報掲示方法。
【請求項３】
監視対象の情報群に含まれる情報の周辺に、その更新時刻、もしくは更新時刻から計算される数値に応じた付加表現を追加する、請求項１の情報掲示方法。
【請求項４】
前記監視対象情報ＤＢに格納されている監視対象の情報群に含まれる情報について、その情報の更新時刻と、その情報のＮ回前（ただし、Ｎは１以上の整数）の更新時刻を前記更新時刻ＤＢから検索し、該更新時刻から、Ｎ回前の更新時刻を減じ、Ｎで除算したものを平均更新頻度とし、その平均更新頻度を、更新時刻から計算される数値として利用する、請求項１の情報掲示方法。
【請求項５】
情報のＮ回前（ただし、Ｎは１以上の整数）までの更新時刻に加えて、Ｎ回前の平均更新頻度を変数で前記更新時刻ＤＢにて管理し、前記監視対象情報ＤＢに格納されている監視対象の情報群に含まれる情報について、その情報の更新時刻と、その情報のＮ回前の更新時刻を前記更新時刻ＤＢから検索し、更新時刻から、Ｎ回前の更新時刻を減じ、Ｎで除算したものを平均更新頻度とし、前記平均更新頻度から、Ｎ回前の平均更新頻度を減じたものを平均更新頻度の差分とし、その平均更新頻度の差分を、前記更新時刻から計算される数値として利用する、請求項１の情報掲示方法。
【請求項６】
３Ｄ空間上に、監視対象の情報群に含まれる情報に加えて、広告を掲示する、請求項１の情報掲示方法。
【請求項７】
３Ｄブラウザを用いて情報を掲示するための情報掲示サーバであって、
３Ｄ空間に掲示される情報が格納される監視対象情報ＤＢと、
前記監視対象情報ＤＢに格納されている情報の更新時刻が格納される更新時刻ＤＢと、
３Ｄ空間に情報を掲示する時には、前記監視対象情報ＤＢに、その情報を登録し、３Ｄ空間から情報を削除する時には、前記監視対象情報ＤＢから、その情報を削除する監視対象操作手段と、
３Ｄ空間を定期的に更新する時には、前記監視対象情報ＤＢに含まれる情報について、前記更新時刻ＤＢを検索してその情報が更新されているかどうかを調べ、更新されていた場合、更新時刻、もしくは更新時刻から計算される数値を座標に変換し、該座標を該情報の配置位置とする空間生成手段を有する情報掲示サーバ。
【請求項８】
情報の掲示順序に対応する座標を変数で管理する空間テンプレートＤＢを有し、前記空間生成手段は、前記監視対象情報ＤＢに含まれる情報を更新時刻、もしくは更新時刻から計算される数値でソートし、その情報群に含まれる各情報について、当該情報の順序に対応する座標を前記空間テンプレートＤＢから検索し、該座標を３Ｄ空間上のその情報の配置位置とする、請求項７の情報掲示サーバ。
【請求項９】
前記空間テンプレートＤＢに掲示される情報に追加される付加表現の情報が格納され、前記空間生成手段は、前記監視対象情報ＤＢに含まれる情報の更新時刻、または該更新時刻から計算される数値に応じた付加表現を前記空間テンプレートＤＢから検索する、請求項７に記載の情報掲示サーバ。
【請求項１０】
前記監視対象情報ＤＢに格納されている監視対象の情報群に含まれる情報について、その情報の更新時刻と、その情報のＮ回前の更新時刻を前記更新時刻ＤＢから検索し、該更新時刻から、Ｎ回前（ただし、Ｎは１以上の整数）の更新時刻を減じ、Ｎで除算したものを平均更新頻度とし、該平均更新頻度を、前記更新時刻から計算される数値として利用する平均更新頻度計算手段をさらに有する、請求項７記載の情報掲示サーバ。
【請求項１１】
情報のＮ回前（ただし、Ｎは１以上の整数）までの更新時刻に加えて、Ｎ回前の平均更新頻度を変数で前期更新時刻ＤＢにて管理し、前記監視対象情報ＤＢに格納されている監視対象の情報群に含まれる情報について、その情報の更新時刻と、その情報のＮ回前の更新時刻を前記更新時刻ＤＢから検索し、更新時刻から、Ｎ回前の更新時刻を減じ、Ｎで除算したものを平均更新頻度とし、前記平均更新頻度から、Ｎ回前の平均更新頻度を減じたものを平均更新頻度の差分として、該平均更新頻度の差分を、前記更新時刻から計算される数値として利用する平均更新頻度計算手段をさらに有する、請求項７の情報掲示サーバ。
【請求項１２】
請求項１から６の情報掲示方法をコンピュータに実行させるための情報掲示プログラム。
【発明の詳細な説明】
【０００１】
【発明の属する技術分野】
本発明は、３Ｄブラウザを用いて３Ｄ空間に情報を掲示する方法に関する。
【０００２】
【従来の技術】
３Ｄブラウザとは、従来の２Ｄ（ＷＷＷ）ブラウザとは異なり、コンテンツを３次元的な空間に配置して、その空間内を自由に往来することで、コンテンツの閲覧を可能にしたブラウザであり、ＮＴＴ研究所において開発されたＩｎｆｏＬｅａｄ（特許文献１）が、その代表例である。
【０００３】
アンテナサイトは、Ｗｅｂサイトを対象として、更新状況を定期的に監視し、更新しているサイトを、その更新時刻とともに、リンク化して提示する。
【０００４】
【特許文献１】
特開２０００−０９９２３２号
【０００５】
【発明が解決しようとする課題】
従来、アンテナサイトのように、Ｗｅｂサイトの更新状況を定期的に監視して、更新しているサイトを、その更新時刻とともにリンク化することが行なわれてきた。しかし、このようなアンテナサイトでは、具体的な更新箇所については、完全な情報として表示されない。そのため、ユーザは、実際に、そのＷｅｂサイトを訪問して、具体的な更新箇所を確認する必要がある。また、アンテナサイトの表示結果は、単純に更新時刻によりソートされた順序で表示されるため、柔軟な表示に対応していないという問題があった。
【０００６】
本発明の目的は、ＷＷＷサイトの具体的な更新箇所を確認するために、そのＷＷＷサイトを訪問する必要がない情報掲示方法、情報掲示サーバ、およびプログラムを提供することにある。
【０００７】
【課題を解決するための手段】
本発明は、監視対象の情報群を監視対象情報ＤＢにて変数で管理し、３Ｄ空間に情報を掲示する時には、前記監視対象情報ＤＢに、その情報を登録し、３Ｄ空間から情報を削除する時には、前記監視対象情報ＤＢから、その情報を削除し、３Ｄ空間を定期的に更新する時には、監視対象情報ＤＢに含まれる情報について、その情報が更新されているかどうかを、各情報の更新時刻が格納されている更新時刻ＤＢを用いて調べ、更新されていた場合、更新時刻、もしくは更新時刻から計算される数値を座標に変換し、その情報を、その座標に配置する。
【０００８】
本発明は、具体的な更新箇所を即座に確認できるように、３Ｄブラウザを用いて情報を表示し、また、柔軟な表示を可能にするために、どの座標に表示するかを、座標変換法により決定する。
【０００９】
本発明の実施態様では、掲示順序に対応する座標を空間テンプレートＤＢに変数で管理し、監視対象情報ＤＢに含まれる情報を更新時刻、もしくは更新時刻から計算される数値でソートし、その情報群に含まれる各情報について、当該情報の順序に対応する座標を空間テンプレートＤＢから検索し、該座標を当該情報の３Ｄ空間上の配置位置とする。
【００１０】
本発明の他の実施態様では、監視対象の情報群に含まれる情報の周辺に、その更新時刻、もしくは更新時刻から計算される数値に応じた付加表現を追加する。
【００１１】
本発明の他の実施態様では、監視対象情報ＤＢに格納されている監視対象の情報群に含まれる情報について、その情報の更新時刻と、その情報のＮ回前（ただし、Ｎは１以上の整数）の更新時刻を更新時刻ＤＢから検索し、該更新時刻から、Ｎ回前の更新時刻を減じ、Ｎで除算したものを平均更新頻度とし、その平均更新頻度を、更新時刻から計算される数値として利用する。
【００１２】
本発明の他の実施態様では、情報のＮ回前（ただし、Ｎは１以上の整数）までの更新時刻に加えて、Ｎ回前の平均更新頻度を変数で更新時刻ＤＢにて管理し、監視対象情報ＤＢに格納されている監視対象の情報群に含まれる情報について、その情報の更新時刻と、その情報のＮ回前の更新時刻を更新時刻ＤＢから検索し、更新時刻から、Ｎ回前の更新時刻を減じ、Ｎで除算したものを平均更新頻度とし、該平均更新頻度から、Ｎ回前の平均更新頻度を減じたものを平均更新頻度の差分として、該平均更新頻度の差分を、更新時刻から計算される数値として利用する。
【００１３】
本発明の他の実施態様では、３Ｄ空間上に、監視対象の情報群に含まれる情報に加えて、広告を掲示する。
【００１４】
【発明の実施の形態】
次に、本発明の実施の形態について図面を参照して説明する。
【００１５】
図１は本発明の一実施形態の情報掲示システムの構成図である。
【００１６】
本実施形態の情報掲示システムは情報掲示サーバ１と情報サーバ２とユーザ端末３とネットワーク４で構成されている。なお、ユーザ端末３は便宜上１つしか図示されていないが、実際には多数存在する。
【００１７】
情報掲示サーバ１は要求送受信部１１と更新時刻検索部１２と平均更新頻度計算部１３と空間テンプレート検索部１４と空間生成部１５と監視対象操作部１６を有し、空間テンプレートＤＢ１７と更新時刻ＤＢ１８と監視対象情報ＤＢ１９が接続されている。
【００１８】
監視対象情報ＤＢ１９には顧客ＩＤ、情報ＩＤリスト（情報Ｉ１、情報Ｉ２、・・・）が格納される。更新時刻ＤＢ１８には監視対象の各情報の更新時刻が格納される。空間テンプレートＤＢ１７には空間テンプレート（メータ表現におけるメータ長、リング表現におけるリング数）が格納されている。要求送受信部１１はネットワーク４を介してユーザ端末３から情報掲示要求を受信し、また要求のあった情報および該情報をユーザ端末３のディスプレイ装置３３に３Ｄ表示するための情報（座標、メータ長、リング長等）を含む空間情報をネットワーク４を介してユーザ端末３に送信する。更新時刻検索部１２は情報の更新時刻を情報サーバ２に問い合わせ、更新時刻ＤＢ１８に格納する。平均更新頻度計算部１３は更新時刻ＤＢ１８に格納されている更新時刻の履歴を利用して平均更新頻度等を計算する。空間テンプレート検索部１４は空間テンプレートＤＢ１７に格納されている空間テンプレートを検索する。空間生成部１５は空間テンプレート等の座標変換法により情報の座標を計算し、更新時刻、平均更新頻度等に応じた付加表現の追加処理を行ない、空間情報を生成し、要求送受信部１１に出力する。監視対象操作部１６は監視対象情報ＤＢ１９への情報の登録、監視対象情報ＤＢ１９に登録されている情報の削除等の処理を行う。
【００１９】
ここで、「空間情報」とは、３Ｄブラウザが解釈可能な形式のデータを意味する。初期のＩｎｆｏＬｅａｄ（３Ｄブラウザの一実装）では独自の形式（ＣＳＶ形式）を用いて下記のようなデータ項目を持っている。
【００２０】
製品ＩＤ、Ｘ座標、Ｙ座標、Ｚ座標、画像へのＵＲＬ、クリック時の動作一方、現在の３Ｄブラウザの実装では、Ｘ３Ｄ（  ＨＹＰＥＲＬＩＮＫ  ”ｈｔｔｐ：／／ｗｗｗ．ｗｅｂ３ｄ．ｏｒｇ／ｘ３ｄ．ｈｔｍｌ”  ｈｔｔｐ：／／ｗｗｗ．ｗｅｂ３ｄ．ｏｒｇ／ｘ３ｄ．ｈｔｍｌ）やＶＲＭＬ９７（ＩＳＯ／ＩＥＣ１４７７２−１：１９９７）等の標準規格を利用しつつある。
【００２１】
情報サーバ２は更新時刻応答部２１を有しており、更新時刻応答部２１は情報掲示サーバ１の更新時刻検索部１２から更新時刻の問い合せに対して更新時刻を応答する。
【００２２】
ユーザ端末３は要求送受信部３１と３Ｄブラウザ部３２とディスプレイ装置を有している。
【００２３】
要求送受信部３１は情報掲示要求をネットワーク４を介して情報掲示サーバ１に送信し、情報掲示要求の応答として空間情報を情報掲示サーバ１から受信する。３Ｄブラウザ部３２は空間情報をもとに３Ｄ空間をディスプレイ装置３３に表示する。
【００２４】
ネットワーク４は情報掲示サーバ１と情報サーバ２とユーザ端末３を互いに接続するもので、インターネット、公衆通信網等を含む。
【００２５】
次に、本実施形態の動作例を具体例により説明する。
【００２６】
例１．
監視対象情報ＤＢ１９に監視対象の情報群（Ｉ１、Ｉ２、Ｉ３、Ｉ４、Ｉ５、Ｉ７）が変数で管理されているものとする。
【００２７】
３Ｄ空間（空間Ｓ１）に情報Ｉ６を登録する時には、監視対象操作部１６が情報Ｉ６を監視対象情報ＤＢ１９に登録する。結果として、監視対象の情報群は情報Ｉ１、情報Ｉ２、情報Ｉ３、情報Ｉ４、情報Ｉ５、情報Ｉ６、情報Ｉ７となる。
【００２８】
３Ｄ空間（空間Ｓ１）から情報Ｉ７を削除する時には、監視対象操作部１６は監視対象情報ＤＢ１９に格納されている監視対象の情報群（情報Ｉ１、情報Ｉ２、情報Ｉ３、情報Ｉ４、情報Ｉ５、情報Ｉ６、情報Ｉ７）から情報Ｉ７を削除する。結果として、監視対象の情報群は情報Ｉ１、情報Ｉ２、情報Ｉ３、情報Ｉ４、情報Ｉ５、情報Ｉ６となる。
【００２９】
３Ｄ空間（空間Ｓ１）を定期的（１時間おき）に更新する時には、空間生成部１５は監視対象情報ＤＢ１９の監視対象の情報群に含まれる情報（情報Ｉ１、情報Ｉ２、情報Ｉ３、情報Ｉ４、情報Ｉ５、情報Ｉ６）について、その情報が更新されているかどうかを更新時刻ＤＢ１８のデータにより調べる。各情報Ｉ１〜Ｉ６の更新時刻が、例えば、表１のような結果となったとする。
【００３０】
【表１】
2004295553.tif 000003
【００３１】
空間生成部１５は、監視対象の情報群（情報Ｉ１、情報Ｉ２、情報Ｉ３、情報Ｉ４、情報Ｉ５、情報Ｉ６）について、更新時刻（２００３／０２／１０  １１：００、２００３／０２／１０  １２：００、２００３／０２／１０  １３：００、２００３／０２／０９  １１：００、２００３／０２／０８  １１：００、２００３／０２／０７  １１：００）を、ある座標変換法により、座標に変換すると、表２のような結果になる。変換された座標は不図示の記憶装置に一時的に格納される。
【００３２】
【表２】
2004295553.tif 000004
【００３３】
表２の情報は要求送受信部１１からネットワーク４を介してユーザ端末３に送られ、３Ｄブラウザ部３２は各情報Ｉ１〜Ｉ６をディスプレイ装置３３の対応する座標に配置する。
【００３４】
例２．（空間テンプレートの利用）
本例は例１の特殊な場合である。座標変換法を実現するために順序に対応する座標群が表３のように変数で空間テンプレートＤＢ１７に管理されているものとする。空間生成部１５は監視対象情報ＤＢ１９に格納されている、監視対象の情報群に含まれる情報を、更新時刻ＤＢ１８に格納されている更新時刻、または該更新時刻から計算される数値でソートし、その情報群に含まれる各情報について、その順序に対応する座標を空間テンプレート検索部１４を介して空間テンプレートＤＢ１７から検索する。
【００３５】
【表３】
2004295553.tif 000005
【００３６】
この状況で、空間生成部１５が監視対象情報ＤＢ１９に格納されている監視対象の情報群に含まれる情報を更新時刻でソートし、その情報群（情報Ｉ３、情報Ｉ２、情報Ｉ１、情報Ｉ４、情報Ｉ５、情報Ｉ６）をユーザ端末３のディスプレイ装置３３に３Ｄ空間に配置する例について説明する。空間テンプレート検索部１４はその情報群に含まれる情報（情報Ｉ３、情報Ｉ２、情報Ｉ１、情報Ｉ４、情報Ｉ５、情報Ｉ６）について、その情報の順序（１、２、３、４、５、６）に対応する座標（（−１０，１０，０）、（１０，１０，０）、（１０，−１０，０）、（−１０，−１０，０）、（−５，５，−５）、（５，５，−５））を空間テンプレートＤＢ１７から検索する。これら情報と座標は要求送受信部１１からネットワーク４を介してユーザ端末３に送られ、３Ｄブラウザ部３２によりその情報（情報Ｉ３、情報Ｉ２、情報Ｉ１、情報Ｉ４、情報Ｉ５、情報Ｉ６）を３Ｄ空間上の対応する座標（（−１０，１０，０）、（１０，１０，０）、（１０，−１０，０）、（−１０，−１０，０）、（−５，５，−５）、（５，５，−５））の位置に配置する。その結果を図２に示す。
【００３７】
例３．（付加表現表示１）
空間生成部１５は空間テンプレート検索部１４を介して監視対象情報ＤＢ１９に格納されている情報（情報Ｉ１、情報Ｉ２、情報Ｉ３、情報Ｉ４、情報Ｉ５、情報Ｉ６）の更新時刻（２００３／０２／１０  １１：００、２００３／０２／１０  １２：００、２００３／０２／１０  １３：００、２００３／０２／０９１１：００、２００３／０２／０８  １１：００、２００３／０２／０７  １１：００）を更新時刻ＤＢ１８から検索し、更新時刻と現在時刻（２００３／０２／１０  １０：３０）の差分を求め、各差分（２時間、１時間、０時間、２６時間、５０時間、７４時間）に対応した、メータ表現におけるメータ長を空間テンプレートＤＢ１７から検索する。各情報（情報Ｉ１、情報Ｉ２、情報Ｉ３、情報Ｉ４、情報Ｉ５、情報Ｉ６）と対応するメータ長は要求送受信部１１よりネットワーク４を介してユーザ端末３に送信され、３Ｄブラウザ部３２により３Ｄ空間において各情報Ｉ１〜Ｉ５の下にメータ長に応じたメータが追加表示される（図３参照）。
【００３８】
例４．（付加表現表示２）
監視対象の情報群に含まれる情報（情報Ｉ１、情報Ｉ２、情報Ｉ３、情報Ｉ４、情報Ｉ５、情報Ｉ６）の周辺に、その更新時刻（２００３／０２／１０  １１：００、２００３／０２／１０  １２：００、２００３／０２／１０  １３：００、２００３／０２／０９  １１：００、２００３／０２／０８  １１：００、２００３／０２／０７  １１：００）と、現在の時刻（２００３／０２／１０  １３：００）との差分（２時間、１時間、０時間、２６時間、５０時間、７４時間）に応じたリング数のリングが同様にして追加表示される（図３参照）。この場合、更新時刻と現在時刻の差分に応じたリング数の情報が空間テンプレートＤＢ１７に格納されている。
【００３９】
例５．（平均更新頻度の利用）
ここでは、Ｎ＝１の場合（１回前（直前）の更新時刻を利用する場合）について、説明する。情報の１回前までの更新時刻は、表４の変数で更新時刻ＤＢ１８に管理されている。
【００４０】
【表４】
2004295553.tif 000006
【００４１】
平均更新頻度計算部１３は、監視対象情報ＤＢ１９の監視対象の情報群に含まれる情報（情報Ｉ１、情報Ｉ２、情報Ｉ３、情報Ｉ４、情報Ｉ５、情報Ｉ６）について、その情報の更新時刻（２００３／０２／１０  １１：００、２００３／０２／１０  １２：００、２００３／０２／１０  １３：００、２００３／０２／０９  １１：００、２００３／０２／０８  １１：００、２００３／０２／０７  １１：００）と、その情報の１回前の更新時刻（２００３／０２／０９  １０：００、２００３／０２／０９  １０：００、２００３／０２／０９  １０：００、２００３／０２／０７  １１：００、２００３／０２／０７  １１：００、２００３／０２／０７  １０：００）を更新時刻ＤＢ１８から検索し、更新時刻から１回前の更新時刻を減じ、１で除算したものを平均更新頻度（２５時間、２６時間、２７時間、４８時間、２４時間、１時間）として不図示の記憶装置に一時的に格納し、その平均更新頻度を、更新時刻から計算される数値として利用する。
【００４２】
例６．（平均更新頻度の差分の利用）
ここでは、Ｎ＝１の場合について説明する。１回前の平均更新頻度としては、表５の変数で管理されている。また、平均更新頻度については、例５と同様に計算されたとする。
【００４３】
【表５】
2004295553.tif 000007
【００４４】
平均更新頻度計算部１３は、監視対象情報ＤＢ１９の監視対象の情報群に含まれる情報（情報Ｉ１、情報Ｉ２、情報Ｉ３、情報Ｉ４、情報Ｉ５、情報Ｉ６）について、更新時刻ＤＢ１８に格納されている平均更新頻度（２５時間、２６時間、２７時間、４８時間、２４時間、１時間）から１回前の平均更新頻度（１５時間、１７時間、２３時間、５０時間、４時間、３０時間）を減じたものを平均更新頻度の差分（１０時間、９時間、４時間、−２時間、−２０時間、２９時間）として、その平均更新頻度の差分を、更新時刻から計算される数値として利用する。
【００４５】
例７．（広告の掲示）
３Ｄブラウザ部３２は、３Ｄ空間（空間１）上に、情報群に含まれる情報（情報Ｉ１、情報Ｉ２、情報Ｉ３、情報Ｉ４、情報Ｉ５、情報Ｉ６）に加えて、広告（広告４１）を表示する。その結果を図３に示す。
【００４６】
なお、本発明は専用のハードウェアにより実現されるもの以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【００４７】
【発明の効果】
以上説明したように、本発明によれば、ＷＷＷサイトの具体的な更新箇所を確認するために、そのＷＷＷサイトを訪問する必要がなくなり、また、座標変換法を用いているために、柔軟な表示に対応できる。
【図面の簡単な説明】
【図１】本発明の一実施形態の情報掲示システムの構成図である。
【図２】情報の掲示例を示す図である。
【図３】情報の他の掲示例を示す図である。
【符号の説明】
１    情報掲示サーバ
２    情報サーバ
３    ユーザ端末
４    ネットワーク
１１    要求送受信部
１２    更新時刻検索部
１３    平均更新頻度計算部
１４    空間テンプレート検索部
１５    空間生成部
１６    監視対象操作部
１７    空間テンプレートＤＢ
１８    更新時刻ＤＢ
１９    監視対象情報ＤＢ
２１    更新時刻応答部
３１    要求送受信部
３２    ３Ｄブラウザ部
３３    ディスプレイ装置
【図１】
2004295553.tif 000008
【図２】
2004295553.tif 000009
【図３】
2004295553.tif 000010